(57)【要約】  ビデオシーケンスパラメータを含むビデオ信号を補正する方法が開示される。当該方法は、ビデオシーケンスパラメータの特定数の復号化値を収集する段階；復号化値の異なる値ごとに発生度数をカウントする段階；カウント結果から補正値を決定する段階；及び補正値に基づいてビデオシーケンスパラメータの復号化値を補正する段階を有する。さらに、ビデオ信号の補正装置と復号化装置とが開示される。本発明により、後続の復号化値を補正するためのビデオシーケンスパラメータの補正値を都合良く見出すことができる。
2008529384.tif 000002
【特許請求の範囲】
【請求項１】
ビデオシーケンスパラメータを含むビデオ信号を補正する方法であって：
（ａ）前記ビデオシーケンスパラメータの特定数の復号化値を収集する段階；
（ｂ）前記復号化値の異なる値ごとに発生度数をカウントする段階；
（ｃ）カウント結果から補正値を決定する段階；及び
（ｄ）前記補正値に基づいて、前記ビデオシーケンスパラメータの前記復号化値を補正する段階；
を有する方法。
【請求項２】
前記ビデオシーケンスパラメータは、ビデオ映像の水平方向のサイズ、ビデオ映像の垂直方向のサイズ、及びビデオ映像のフレーム速度というパラメータの少なくとも１つを含む、請求項１に記載の方法。
【請求項３】
前記特定数は前記ビデオ信号の伝送エラー特性に従って決定される、請求項１に記載の方法。
【請求項４】
段階（ｃ）は更に：
（ｃ１）前記復号化値の各々の発生度数を、その他の復号化値の発生度数以上の発生度数を有する復号化値を前記補正値として決定するために、比較する段階；
を有する、請求項１に記載の方法。
【請求項５】
段階（ｃ）は更に：
（ｃ２）前記復号化値の１つが所定の閾値より大きい発生度数を有する場合、この復号化値を前記補正値として決定する段階；
を有する、請求項１に記載の方法。
【請求項６】
前記閾値は前記ビデオ信号の伝送エラー特性に従って決定される、請求項５に記載の方法。
【請求項７】
段階（ａ）において、前記特定数の復号化値は連続した復号化値である、請求項１に記載の方法。
【請求項８】
復号化されたビデオシーケンスパラメータを含むビデオ信号を補正する装置であって：
前記ビデオシーケンスパラメータの特定数の復号化値を収集する収集手段；
前記復号化値の異なる値ごとに発生度数をカウントする計数手段；
カウント結果から補正値を決定する決定手段；及び
前記補正値に基づいて、前記ビデオシーケンスパラメータの前記復号化値を補正する補正モジュール；
を有する装置。
【請求項９】
前記ビデオシーケンスパラメータは、ビデオ映像の水平方向のサイズ、ビデオ映像の垂直方向のサイズ、及びビデオ映像のフレーム速度というパラメータの少なくとも１つを含む、請求項８に記載の装置。
【請求項１０】
前記特定数は前記ビデオ信号の伝送エラー特性に従って決定される、請求項８に記載の装置。
【請求項１１】
前記決定手段は更に：
前記復号化値の各々の発生度数を、その他の復号化値の発生度数以上の発生度数を有する復号化値を前記補正値として決定するために、比較する比較手段；
を有する、請求項８に記載の装置。
【請求項１２】
前記決定手段は更に：
前記復号化値の１つが所定の閾値より大きい発生度数を有する場合、この復号化値を前記補正値として決定する比較手段；
を有する、請求項８に記載の装置。
【請求項１３】
前記閾値は前記ビデオ信号の伝送エラー特性に従って決定される、請求項１２に記載の装置。
【請求項１４】
復号化されたビデオシーケンスパラメータを含むビデオ信号を復号化する装置であって：
前記ビデオ信号を復号化する復号化モジュール；並びに
補正装置であり：
前記ビデオシーケンスパラメータの特定数の復号化値を収集する収集手段；
前記復号化値の異なる値ごとに発生度数をカウントする計数手段；
カウント結果から補正値を決定する決定手段；及び
前記補正値に基づいて、前記ビデオシーケンスパラメータの前記復号化値を補正する補正モジュール；
を有する補正装置；
を有する装置。
【請求項１５】
前記ビデオシーケンスパラメータは、ビデオ映像の水平方向のサイズ、ビデオ映像の垂直方向のサイズ、及びビデオ映像のフレーム速度というパラメータの少なくとも１つを含む、請求項１４に記載の装置。
【請求項１６】
前記決定手段は更に：
前記計数手段のカウント結果に従って、前記復号化値の各々の発生度数を、その他の復号化値の発生度数以上の発生度数を有する復号化値を前記補正値として決定するために、比較する比較手段；
を有する、請求項１４に記載の装置。
【請求項１７】
前記決定手段は更に：
前記復号化値の１つが所定の閾値より大きい発生度数を有する場合、この復号化値を前記補正値として決定する比較手段；
を有する、請求項１４に記載の装置。
【発明の詳細な説明】
【技術分野】
【０００１】
本発明はデジタル信号を補正する方法及び装置に関し、より具体的には、ビデオ信号を補正する方法及び装置に関する。
【背景技術】
【０００２】
デジタルＴＶ（ＳＤＴＶ／ＨＤＴＶ）及びマルチメディア用途においては、特に低ビットレート及び良品質のための、数多くの要求を満たすために広範に及ぶビデオ圧縮規格が生み出されてきた。符号化されたビデオストリームのビットエラー（ランダムエラー及びバーストエラー）は復号化処理の脱同期化（de-synchronization）をもたらすことが多く、そうなると次の再同期ポイントまで復号化することができなくなる。従って、復号化されたビデオ信号を補正することが非常に重要である。
【０００３】
標準的な符号化ビデオビットストリームにおいては、ビデオシーケンスレイヤーが、ビットエラー又はその他の理由によって符号化／復号化の脱同期化が起こったときに同期を回復するために復号化器により使用され得る始動コードを含んでいる。故に、一度の脱同期化は少なくとも一片のデータの損失を生じさせることになる。シーケンスとは、特定のチャンネルの番組を形成する映像シーケンスを意味する。シーケンスの始動コードに続くシーケンスヘッダは水平方向のサイズ、垂直方向のサイズ、フレーム速度、及び映像に関するその他の情報を含んでいる。そして、シーケンス拡張部（extension）は更なるデータを含んでいる。
【０００４】
シーケンスヘッダ内のパラメータはシーケンス全体の全ての後続データを復号化する基礎としての役割を果たす。破損したシーケンスヘッダから復号化された誤った水平サイズ及び垂直サイズは、深刻な視覚的劣化を引き起こすことになる。また、ＤＶＤの場合にはフレーム速度は一定値である。このフレーム速度が規格の構文の意味では正当である別の値にマッピングされると、このようなエラーも、特にその値が一定であることを特定の用途が要求するとき、視覚的な結果を劣化させることになる。
【０００５】
特許文献１は、推定映像サイズを用いて破損したシーケンスヘッダ情報を補正するビデオ補正装置及び方法を開示している。ビデオ補正装置により受信された圧縮デジタルビデオ信号がシーケンスヘッダ及び少なくとも１つの符号化された映像を含んでいる。シーケンスヘッダ内に含まれる符号化されたビデオシーケンスパラメータが復号化され、メモリに格納される。符号化された映像上でビデオ復号化処理が実行される。この処理中、復号化された映像内に含まれるマクロブロックの数を表す第１のマクロブロックカウントが作り出され、復号化処理は一時的に中断される。そして、第２のマクロブロックカウントがメモリ内の映像サイズデータから決定され、第１のマクロブロックカウントと比較される。第１及び第２のマクロブロックカウントが互いに等しいことが決定された後、ビデオ復号化処理は格納されたビデオシーケンスパラメータを用いることによって直ちに再開される。そうでなければ、メモリ内のビデオシーケンスパラメータが推定映像サイズを表すデータを用いて補正された後、この復号化処理は再開される。
【０００６】
特許文献２は先行する正しいシーケンスヘッダに基づく誤り補正手法を開示しており、特許文献３は後続の正しいシーケンスヘッダに基づく誤り補正手法を開示している。
【０００７】
しかしながら、上記手法の何れも、ビデオシーケンスパラメータの補正値を見出すのが困難なときがあり、そのため、復号化されたビデオ信号の正確な補正を行えないという問題を抱えている。
【特許文献１】米国特許第６５９７７４１号明細書
【特許文献２】欧州特許第６１３３００号明細書
【特許文献３】国際公開第０１／０６７９５号パンフレット
【発明の開示】
【発明が解決しようとする課題】
【０００８】
本発明は、ビデオシーケンスパラメータの補正値を容易に決定することが可能であり、それにより、後続の復号化値を補正するために使用される補正値の正確性を保証することが可能な、ビデオ信号を補正する方法及び装置を提供することを目的とする。
【課題を解決するための手段】
【０００９】
上記課題に鑑み、本発明に従って、ビデオシーケンスパラメータを含むビデオ信号を補正する方法が提供される。当該方法は、ビデオシーケンスパラメータの特定数の復号化値を収集する段階；復号化値の異なる値ごとに発生度数をカウントする段階；カウント結果から補正値を決定する段階；及び補正値に基づいてビデオシーケンスパラメータの復号化値を補正する段階を有する。
【００１０】
また、本発明に従って、復号化されたビデオシーケンスパラメータを含むビデオ信号を補正する装置が提供される。当該補正装置は、ビデオシーケンスパラメータの特定数の復号化値を収集する収集手段；復号化値の異なる値ごとに発生度数をカウントする計数手段；カウント結果から補正値を決定する決定手段；及び補正値に基づいてビデオシーケンスパラメータの復号化値を補正する補正モジュールを有する。
【００１１】
また、本発明に従って、復号化されたビデオシーケンスパラメータを含むビデオ信号を復号化する装置が提供される。当該復号化装置は、ビデオ信号を復号化する復号化モジュール、及び補正装置を有する。この補正装置は、ビデオシーケンスパラメータの特定数の復号化値を収集する収集手段；復号化値の異なる値ごとに発生度数をカウントする計数手段；カウント結果から補正値を決定する決定手段；及び補正値に基づいて、ビデオシーケンスパラメータの復号化値を補正する補正モジュールを有する。
【００１２】
本発明により、後続のビデオシーケンスパラメータの復号化値を補正するために使用される補正値の正確性を確保することができ、それにより、再生成される映像の視覚的な結果を改善することができる。
【００１３】
添付図面に関連付けられた以下の記載、及び添付の特許請求の範囲により、本発明のその他の目的及び効果が明らかになり、本発明はより包括的に理解されるであろう。
【発明を実施するための最良の形態】
【００１４】
図面を参照しながら本発明の好適な実施形態について説明する。図面において、同一の参照符号は同様又は同一の特徴及び機能を表している。
【００１５】
周知のように、ビデオシーケンスレイヤー内のパラメータがどのように符号化されようと、単一のビデオ用途では殆どの場合、これらパラメータの復号化値（復号化された値）は一定である。他方、複数のビデオ用途においては、シーケンスヘッダはしばしば、それ自体の重要性及び用途からの要求のため、反復的に送信される。
【００１６】
故に、例えば映像の水平サイズ、垂直サイズ及びフレーム速度といった幾つかの復号化値は隣接するビデオシーケンスヘッダにおいて一定であると考え得る。そして、このパラメータの或る特定数の復号化値が、連続するシーケンスヘッダから収集され特定されることが可能である。収集された復号化値の内の最も頻繁に発生する復号化値が、このパラメータの補正値として決定される。そして、後続するシーケンスヘッダの復号化値がこの補正値を用いて補正される。
【００１７】
図１を参照し、本発明の一実施形態に従ったビデオ信号を補正する方法を詳細に説明する。ここでは、このビデオ信号はシーケンスヘッダ、及び少なくとも１つの復号化された映像を含んでおり、シーケンスヘッダは少なくとも１つの復号化されたビデオシーケンスパラメータを含んでいる。このシーケンスヘッダに含まれるビデオシーケンスパラメータは映像の水平サイズ、垂直サイズ、フレーム速度などを含んでいる。
【００１８】
段階Ｓ１１０にて、或る特定数のビデオシーケンスパラメータの復号化値が収集される。
【００１９】
この復号化されたビデオシーケンスパラメータは映像の水平サイズ、垂直サイズ又はフレーム速度とし得る。受け取られた復号化値は連続的あるいは断続的の何れであってもよい。受け取られた復号化値の数ｎの値は伝送ビットエラー特性に従って決定され得る。すなわち、エラービットレートが高いほど、ｎの値は大きくされるべきである。
【００２０】
ｎ個のシーケンスヘッダ内のこの復号化されたビデオシーケンスパラメータのｎ個の復号化値はメモリ内に格納されてもよく、あるいは、復号化されたビデオシーケンスパラメータのｎ個の復号化値を格納するようにウィンドウ（例えば、メモリ内の記憶空間）が設定されてもよい。このウィンドウの長さはｎである。
【００２１】
段階Ｓ１２０にて、復号化値の異なる値ごとの発生度数がカウントされる。
【００２２】
この段階にて、この特定数の復号化値に含まれる各復号化値の発生度数がカウントされる。例えば、受け取られた１０個の復号化値が連続的にｄ１、ｄ２、ｄ１、ｄ１、ｄ３、ｄ１、ｄ１、ｄ１、ｄ２、ｄ１である場合、復号化値ｄ１は７度、復号化値ｄ２は２度、そして復号化値ｄ３は１度だけ発生している。
【００２３】
次に段階Ｓ１３０にて、ビデオシーケンスパラメータの復号化値を補正するための補正値がカウント結果から決定される。
【００２４】
各復号化値の発生度数は、その他の復号化値の発生数以上の発生数を有する復号化値を補正値として決定するために比較される。
【００２５】
上記の特定数より小さい閾値ｍが設定され得る。この復号化されたビデオシーケンスパラメータの特定数の復号化値に含まれる或る復号化値の数ｐが閾値ｍより大きい、あるいは等しい場合、この復号化値はこの復号化されたビデオシーケンスパラメータの補正値として決定される。そうでなければ、処理は段階Ｓ１１０へと戻り、この復号化されたビデオシーケンスパラメータの補正値が見出されるまで、この復号化されたビデオシーケンスパラメータの復号化値の別セットを改めて受け取る。
【００２６】
閾値ｍは一定に保たれる一方で、受け取られたこの別セットに含まれる復号化値の数は上記の特定数より大きくてもよい。
【００２７】
同様に、閾値ｍが大きいほど、復号化されたビデオシーケンスパラメータに対して特定される補正値の信頼性は高まる。
【００２８】
この復号化されたビデオシーケンスパラメータの補正値が決定された後、この補正値を用いて、この復号化されたビデオシーケンスパラメータの復号化値が補正される（段階Ｓ１４０）。
【００２９】
言い換えると、この復号化されたビデオシーケンスパラメータの補正値が決定された後、この復号化されたビデオシーケンスパラメータの後続の復号化値が検査される。この復号化されたビデオシーケンスパラメータのこの後続の復号化値が補正値と異なることが判明すると、この後続の復号化値は補正値に置換される。その後、補正された復号化値が再生されるべく再生機に伝送される。
【００３０】
他の例では、補正値が決定された後、ビデオ信号は再復号化され、その復号化値が補正値によって補正された後に、再生されるべく再生機に伝送されてもよい。
【００３１】
ビデオストリームのビットエラーレートが非常に低い本発明に従った一実施形態においては、上記の特定数は例えば３といった比較的小さい値に設定されてもよく、閾値ｍは２に設定されてもよい。連続する３つのシーケンスヘッダの内、復号化されたビデオシーケンスパラメータの２つの復号化値が互いに等しいとき、この復号化値は続くシーケンスヘッダにおける対応する復号化値を検査するための補正値として採用されることができる。
【００３２】
ビデオストリームのビットエラーレートが高い本発明に従った他の一実施形態においては、上記の特定数は例えば６といった比較的大きい値に設定されてもよく、閾値ｍは４に設定されてもよい。故に、連続する６つのシーケンスヘッダの内、復号化されたビデオシーケンスパラメータの４つの復号化値が互いに等しいとき、この復号化値は続くシーケンスヘッダにおける対応する復号化値を検査するための補正値として採用されることができる。
【００３３】
復号化されたビデオシーケンスパラメータの補正値が正しく見出されることを確実にするため、特定数ｎは例えば１０等、十分に大きく設定されてもよく、閾値ｍは８に等しく設定されてもよい。
【００３４】
図２は、本発明の一実施形態に従ったビデオ信号を補正する装置を示している。このビデオ信号はシーケンスヘッダ、及び少なくとも１つの復号化された映像を含んでおり、シーケンスヘッダは少なくとも１つの復号化されたビデオシーケンスパラメータを含んでいる。復号化されたビデオシーケンスパラメータは映像の水平サイズ、垂直サイズ、フレーム速度などを含み得る。
【００３５】
図２に示されるように、この補正装置は収集ユニット２１０、計数ユニット２２０、決定ユニット２３０及び補正モジュール２４０を有している。
【００３６】
収集ユニット２１０は復号化モジュール（図示せず）からビデオシーケンスパラメータの或る特定数の復号化値を収集し、収集された復号化値を計数ユニット２２０に送信する。
【００３７】
計数ユニット２２０は上記の復号化値に含まれる異なる復号化値ごとに発生度数、すなわち、上記の特定数の復号化値に含まれる各復号化値の反復発生度数をカウントする。
【００３８】
復号化されたビデオシーケンスパラメータは映像の水平サイズ、垂直サイズ又はフレーム速度などとし得る。受信された復号化値は連続的であってもよいし、断続的であってもよい。受信された復号化値の数ｎの値は伝送ビットエラー特性に従って決定され得る。すなわち、エラービットレートが高いほど、ｎの値は大きくされるべきである。
【００３９】
決定ユニット２３０はカウント結果から補正値を決定する。
【００４０】
決定ユニット２３０は、その他の復号化値の発生数以上の発生数を有する復号化値を補正値として決定するために各復号化値の発生度数を比較するための比較ユニット２３５を有していてもよい。
【００４１】
比較ユニット２３５には、上記の特定数より小さい閾値ｍが事前設定されていてもよい。この復号化されたビデオシーケンスパラメータの特定数の復号化値に含まれる或る復号化値の数ｐが閾値ｍより大きい、あるいは等しい場合、この復号化値はこの復号化されたビデオシーケンスパラメータの補正値として決定される。
【００４２】
そうでなければ、何れの復号化値も閾値ｍ以上の数を有さない場合、決定ユニット２３０は、この復号化されたビデオシーケンスパラメータの補正値が決定されるまで、収集ユニット２１０がこの復号化されたビデオシーケンスパラメータの復号化値の別セットを改めて受信するように、収集ユニット２１０に通知する。
【００４３】
閾値ｍは一定に保たれる一方で、受け取られたこの別セットに含まれる復号化値の数は上記の特定数以上であってもよい。
【００４４】
パラメータｎ及び閾値ｍの値は伝送ビットエラー特性に従って決定されてもよい。すなわち、ビットエラーレートが高いほど、ｎ及びｍの値は大きくなる。それと引き換えに、ｎ及びｍの値が大きいほど、復号化されたビデオシーケンスパラメータに対して特定される補正値の信頼性は高まる。
【００４５】
この復号化されたビデオシーケンスパラメータの補正値が決定された後、決定ユニット２３０は、収集ユニット２１０が復号化モジュールから如何なる信号をも受信しないように収集ユニット２１０に通知し、決定された補正値を補正モジュール２４０に送信する。
【００４６】
補正モジュール２４０は、この補正値を受信した後、復号化モジュールから受信したこのビデオシーケンスパラメータの後続の復号化値を補正値と比較する。補正モジュール２４０によって受信された後続の復号化値が補正値と異なる場合、この復号化値はこの補正値として回復され、再生機（図示せず）に送信される。補正モジュール２４０によって受信されたビデオシーケンスパラメータのこの復号化値が補正値に等しい場合、この復号化値には処理は施されないことになる。
【００４７】
決定ユニット２３０がこの復号化されたビデオシーケンスパラメータの補正値を決定する前においては、補正モジュール２４０は受信したこのビデオシーケンスパラメータの復号化値を直接的に再生機に送信してもよい。
【００４８】
決定ユニット２３０が復号化されたビデオシーケンスパラメータの補正値を決定した後、このビデオ信号は再復号化され、当該補正装置がその復号化値を補正した後に、再生されるべく再生機に伝送されてもよい。
【００４９】
また、本発明の他の一実施形態に従って、ビデオ信号を復号化する装置が更に提供される。この復号化装置はビデオ信号を復号化する復号化モジュール、及び図２に示される補正装置を有する。簡潔さのため、この補正装置について詳細には説明しない。
【００５０】
本発明は、例えばＤＶＤ／ＶＣＤ再生機などの、ＭＰＥＧビデオ復号化器に適用されてもよい。
【００５１】
本発明は一例としてデジタルビデオ信号の復号化について説明されてきたが、当業者によく認識されるように、上述の実施形態は単に例示的なものであり、本発明を限定するものではない。本発明は更に、例えば復号化や解凍などの、他のデジタル信号の処理に、それに含まれるビデオシーケンスパラメータは一定値であるという条件の下で適用されてもよい。
【００５２】
本発明は現段階で好適な実施形態に関連して説明されてきたが、この開示は限定的なものとして解釈されるべきものではない。この開示を読んだ当業者には様々な代替及び変更が明らかになるであろう。従って、添付の特許請求の範囲は本発明の真の意図及び範囲に入る全ての代替及び変更に及ぶものとして解釈されるものである。
【図面の簡単な説明】
【００５３】
【図１】本発明の一実施形態に従ったビデオ信号を補正する方法を示すフローチャートである。
【図２】本発明の一実施形態に従ったビデオ信号を補正する装置を示す図である。
【図１】
2008529384.tif 000003
【図２】
2008529384.tif 000004
【国際調査報告】
2008529384.tif 000005
2008529384.tif 000006